【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、払出条件が成立したことにもとづいて遊技媒体を遊技者に払い出し、所定の報知を行うために用いられる電気部品を備えた遊技機であって、
遊技の進行を制御する遊技制御処理を実行する遊技制御手段が搭載された遊技制御基板と、
前記遊技媒体の払い出しを行う払出手段と、
前記払出手段を制御する払出制御処理を実行する払出制御手段が搭載された払出制御基板と、
前記電気部品を制御する演出制御手段が搭載された演出制御基板とを備え、
前記払出制御基板に、遊技媒体の払い出しに関するエラー状態を含む遊技機の状態に関する複数種類の情報のそれぞれに対応する状態検出信号を前記遊技制御基板に対して出力する状態通知手段が設けられ、
入力された前記遊技機の状態に関する複数種類の情報のそれぞれに対応する状態検出信号は、前記遊技制御基板において一時にアクセス可能な入力ポート部に格納され、
前記遊技制御手段は、前記入力ポート部に入力される複数の前記状態検出信号のうちのいずれか１つ以上の状態が変化したか否かを判定する状態検出信号判定手段と、
前記状態検出信号判定手段が複数の前記状態検出信号のうちのいずれか１つ以上の状態が変化したと判定したときに、前記入力ポート部に入力された複数の前記状態検出信号の状態を一括してコマンドとして送信する入力ポートデータ送信手段を含み、
前記演出制御手段は、前記入力ポートデータ送信手段が送信した前記コマンドにもとづいて遊技機の状態に関する複数種類の情報のいずれの状態が変化したかを判定する入力ポートデータ判定手段と、
前記入力ポートデータ判定手段が判定した遊技機の状態に関する情報に対応する報知を前記電気部品に行わせる報知制御手段とを含む
ことを特徴とする遊技機。
【請求項２】
各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
遊技制御基板に、
所定の数値を更新する数値更新処理を実行する数値更新手段と、
前記数値更新手段による数値更新処理に異常が生じたときに更新エラー信号を出力する更新異常出力手段とが設けられ、
遊技制御手段は、
所定の時期に前記数値更新手段が更新する数値を抽出する数値抽出手段と、
前記数値抽出手段が抽出した数値にもとづいて前記特定遊技状態に移行させるか否かを決定する特定遊技状態決定手段とを含み、
前記更新エラー信号は、状態検出信号が入力される入力ポート部に入力される
請求項１記載の遊技機。
【請求項３】
状態検出信号判定手段は、
入力ポート部に入力される複数の状態検出信号の状態を示すデータを保存するデータ保存手段と、
新たに入力した複数の前記状態検出信号の状態と前記データ保存手段に保存されているデータとのビット毎の排他的論理和をとって、排他的論理和の演算結果にもとづいて前記状態検出信号のうちのいずれか１つ以上の状態が変化したか否かを判定するデータ変化判定手段とを含み、
前記データ変化判定手段が前記状態検出信号のうちのいずれか１つ以上の状態が変化したと判定したときに、前記データ保存手段の内容を、前記新たに入力した複数の前記状態検出信号の状態を示すデータに更新する
請求項１または請求項２記載の遊技機。
【手続補正２】
【補正対象書類名】明細書
【補正対象項目名】００１１
【補正方法】変更
【補正の内容】
【００１１】
本発明による遊技機は、遊技媒体（例えば、遊技球）を用いて遊技者が所定の遊技を行うことが可能であり、払出条件が成立したことにもとづいて遊技媒体を遊技者に払い出し、所定の報知（例えば、エラー報知）を行うために用いられる電気部品（例えば、ランプやスピーカ）を備えた遊技機であって、遊技の進行を制御する遊技制御処理を実行する遊技制御手段（例えば、遊技制御用マイクロコンピュータ５６０）が搭載された遊技制御基板（例えば、主基板３１）と、遊技媒体の払い出しを行う払出手段（例えば、球払出装置９７）と、払出手段を制御する払出制御処理を実行する払出制御手段（例えば、払出制御用マイクロコンピュータ３７０）が搭載された払出制御基板（例えば、払出制御基板３７）と、電気部品を制御する演出制御手段（例えば、演出制御用マイクロコンピュータ１００）が搭載された演出制御基板（例えば、演出制御基板８０）とを備え、払出制御基板に、遊技媒体の払い出しに関するエラー状態を含む遊技機の状態に関する複数種類の情報のそれぞれに対応する状態検出信号（例えば、図１１に示す入力ポート１のビット０〜４のデータ）を遊技制御基板に対して出力する状態通知手段（例えば、払出制御用マイクロコンピュータ３７０において入力判定処理を実行する部分（図５５参照）、および出力回路３７３Ｂ）が設けられ、入力された遊技機の状態に関する複数種類の情報のそれぞれに対応する状態検出信号は、遊技制御基板において一時にアクセス可能な入力ポート部（例えば、図１１に示す入力ポート１）に格納され、遊技制御手段は、入力ポート部に入力される複数の状態検出信号のうちのいずれか１つ以上の状態が変化したか否かを判定する状態検出信号判定手段（例えば、遊技制御用マイクロコンピュータ５６０においてステップＳ５８２，Ｓ５８３の処理（図４１参照）を実行する部分）と、状態検出信号判定手段が複数の状態検出信号のうちのいずれか１つ以上の状態が変化したと判定したときに、入力ポート部に入力された複数の状態検出信号の状態を一括してコマンドとして送信する入力ポートデータ送信手段（例えば、遊技制御用マイクロコンピュータ５６０においてステップＳ５８４〜Ｓ５８６、Ｓ５９１〜Ｓ５９３の処理（図４１および図４２参照）を実行する部分）を含み、演出制御手段は、入力ポートデータ送信手段が送信したコマンドにもとづいて遊技機の状態に関する複数種類の情報のいずれの状態が変化したかを判定する入力ポートデータ判定手段（例えば、演出制御用マイクロコンピュータ１００においてステップＳ６１１，Ｓ６５１〜Ｓ６５３，Ｓ６５５，Ｓ６５６，Ｓ６５８，Ｓ６６０Ｓ６６２，Ｓ６６４，Ｓ６７１，Ｓ６７３，Ｓ６７６の処理を実行する部分）と、入力ポートデータ判定手段が判定した遊技機の状態に関する情報に対応する報知を電気部品に行わせる報知制御手段（例えば、演出制御用マイクロコンピュータ１００において報知開始処理および報知中処理を実行する部分（図７９参照））とを含むことを特徴とする。
【手続補正３】
【補正対象書類名】明細書
【補正対象項目名】００１７
【補正方法】変更
【補正の内容】
【００１７】
請求項１記載の発明では、遊技機を、入力された遊技機の状態に関する複数種類の情報のそれぞれに対応する状態検出信号は、遊技制御基板において一時にアクセス可能な入力ポート部に格納され、遊技制御手段は、入力ポート部に入力される複数の状態検出信号のうちのいずれか１つ以上の状態が変化したか否かを判定し、いずれか１つ以上の状態が変化したと判定したときに、入力ポート部に入力された複数の状態検出信号の状態を一括してコマンドとして送信し、演出制御手段は、受信したコマンドにもとづいて遊技機の状態に関する複数種類の情報のいずれの状態が変化したかを判定し、判定した遊技機の状態に関する情報に対応する報知を電気部品に行わせるように構成したので、遊技機の状態に関する複数種類の情報のそれぞれを区別して報知できるようになるとともに、そのようにした場合に遊技制御手段の情報判定の制御負担を増大させないようにすることができる。また、入力ポート部に入力される複数の状態検出信号のうちのいずれか１つ以上の状態が変化したことを条件に、遊技制御基板から複数の状態検出信号が送信されるので、遊技制御基板から送信される信号にもとづいて遊技制御手段の制御状態を把握することは困難であり、結果として、不正行為を防止できる可能性が高くなる。